(57)【要約】【課題】  多雪豪雪地域の木造瓦葺き屋根の排雪は非常に重労働であり、その作業は一時に集中するため、当該地に於いては人手の確保、費用に大きい負担を強いられている。又軒垂木の折損、軒樋の破損、樋受金物の変形等の被害があり、これらを速やかに軽減する方法を提供する。【解決手段】  軒の出部に多湿雪が大量に積もり、これがすがもれや、軒先部材に折損、変形を起こす事の原因であり、これらを防ぐため、少量の積雪でも自重落雪させる方法として、軒の出部を滑雪部材（雪や氷に対して摩擦係数の小さい部材）で覆う事を提案した。【選択図】  図１
0003132494.tif 000002
【実用新案登録請求の範囲】
【請求項１】
多雪地域の木造瓦葺きの建築に於いて多量降雪時の軒垂木の折損、軒樋の破損、樋受金物の変形を防ぐため、軒先全体を滑雪部材（雪や氷に対して摩擦係数の小さい部材）で覆い、雪を自重で落下させることにより軒先を保護することを特徴とする軒先構造。
【請求項２】
瓦屋根の軒先より４段目又は５段目の瓦に部品を装着し、該部品で棒状部材を支持し、該棒状部材に滑雪部材を取付けることにより滑雪部材の落下を防ぐことを特徴とした請求項１に記載の軒先構造。
【請求項３】
滑雪部材を瓦葺き屋根に取付け、軒先に覆い掛け先端を垂れ降ろし、軒先全体を保護することを特徴とする請求項１または請求項２に記載の軒先構造。
【請求項４】
滑雪部材の風による吹き上がりを防止するため、滑雪部材の先端に相当量の錘を固定し下げ降ろし、かつ中間部吹き上げを防ぐため滑雪部材の裏面の複数箇所を雪止瓦に固定することを特徴とする請求項１または請求項２または請求項３に記載の軒先構造。
【請求項５】
瓦に取り付けるための部品が、帯状の金属板をＳ字状に折り曲げて形成したことを特徴とする請求項２記載の軒先構造。
【請求項６】
滑雪部材の先端に固定して下げ降ろす錘は、防水された密閉部分に適量の水を注入、排水する構造にしたことを特徴とする請求項４記載の軒先構造。
【請求項７】
滑雪部材の先端に固定して下げ降ろす錘は、滑雪部材の先端を袋状に縫製加工しその中に相当量の水筒、鉄塊、石塊を投入、出し入れする構造にしたことを特徴とする請求項４記載の軒先構造。
【考案の詳細な説明】
【技術分野】
【０００１】
本考案は積雪時木造瓦葺き屋根の軒先に多量に積った重い雪により軒垂木の折損、軒樋の破損、樋受金物の変形を防ぐため、滑雪部材（雪や氷に対して摩擦係数の小さい部材）で軒先を覆った構造に関する。
【背景技術】
【０００２】
従来、多雪地域で非常に過湿雪の降雪する地域では積雪量を目測し各部の損傷を防ぐため人力による排雪を余儀なくされてきた。しかも豪雪時には２度、３度も排雪を行う事も珍しく無く特に軒先については一層回数を多くしなければならなかった。
近年は加えて人手不足と高齢化が重なり、度重なる排雪をする事が困難になり、軒垂木の折損、軒樋の破損、樋受金物の変形等が目立つ様になってきた。従って積雪の多い寒冷地域においては人手を要しない排雪手段が求められている。
関連する文献としては、以下のものがある。
【特許文献１】特開２０００−２４８７０１号公報
【０００３】
しかし、上記した従来の技術は、軒樋の破損に対する防御策で有り、軒の出  の部分の積雪排除は考えられていないという問題がある。
【考案の開示】
【考案が解決しようとする課題】
【０００４】
本考案は上記の問題に鑑みてなされたもので、軒垂木折損の防止、軒樋破損、樋受金物の変形等を防止する方策の提供を目的とする。
【課題を解決するための手段】
【０００５】
上記課題を解決するために、
本考案は上記被害を防止するため軒先に滞留し過大の荷重を掛け、又、すがもれ現象に依る溢水や、軒樋関係の変形破損をさせる積雪に対し、少量程度づつ自重落雪させる滑雪部材（雪や氷に対して摩擦係数の小さい部材）で軒先、軒樋等を覆う方法を考案した。
【０００６】
多雪地域の木造瓦葺きの建築に於いて多量降雪時の軒垂木の折損、軒樋の破損、樋受金物の変形を防ぐため、軒先全体を滑雪部材で覆い落雪させ、軒先を保護することを特徴とする軒先構造。
【０００７】
瓦屋根の軒先より４段目又は５段目の瓦に部品を装着し、該部品で棒状部材を支持し、該棒状部材に滑雪部材を取付けることにより滑雪部材の落下を防ぐことを特徴とした請求項１に記載の軒先構造である。
【０００８】
滑雪部材を瓦葺き屋根に取付け、軒先に覆い掛けて先端を垂れ降ろし、軒先全体を保護することを特徴とする請求項１または請求項２に記載の軒先構造のようにしてもよい。
【０００９】
滑雪部材の風による吹上がりを防止するため、滑雪部材の先端に相当量の錘を固定し下げ降ろし、かつ中間部吹上げを防ぐため滑雪部材の裏面の複数箇所を雪止瓦に固定することを特徴とする請求項１、請求項２、および請求項３に記載の軒先構造のようにしてもよい。
【００１０】
瓦に取り付けるための部品が、帯状の金属板をＳ字状に折り曲げて形成したことを特徴とする請求項２記載の軒先構造のようにしてもよい。
【００１１】
滑雪部材の先端に固定して下げ降ろす錘は、防水された密閉筒状部分に適量の水を注入、排水する構造にしたことを特徴とする請求項４記載の軒先構造。
【考案の効果】
【００１２】
本考案は上記のように構成されているので屋根勾配と同様の勾配を持つ滑雪部材（雪や氷に対して摩擦係数の小さい部材）等で軒先部と軒樋部を覆い積雪が少量のうちに自重落雪させようとするものである。設置の期間の雨水は滞りなく滑雪部材裏を通り既設軒樋に排水されることとなり軒樋の破損や、すがもれ現象等は無いという効果がある。
【考案を実施するための最良の形態】
【００１３】
以下、本考案の実施形態を、図面を参照しながら説明する。
図１は  屋根面の平面図であるが一般的に一段目は軒先瓦、２段目は桟瓦、３．４段目は雪止瓦と桟瓦の交互葺き、５段目は桟瓦葺きとなっている。この考案ではこの５段目の瓦に滑雪部材を固定しこの部分より軒先までの積雪を落雪しようとするものである。（４段目が雪止瓦で無い場合は４段目に取り付けてもよい。）
【００１４】
図２は  滑雪部材取り付け後のＡ〜Ａ断面であり、雨水の通路間隙があることを示している。
【００１５】
図３は  滑雪部材取り付け後のＢ〜Ｂ断面であり、雨水排水通路の確保と滑雪部材が軒樋下端まで垂れ下がり、積雪時のすがもれ現象や落雪による樋部分の損傷が完全に安全であることを示している。
【００１６】
図４は  図１の拡大部の横断面を示したものであり、棒状部材取付金具を桟瓦ｂの左上部の欠込に差し込み固定することを示している。
【００１７】
図５は  図１の拡大部の縦断面を示したものであり棒状部材取付金具が桟瓦ｂに引き掛けられ安定して棒状部材の引起し力にも抵抗し支持していることを示している。
【００１８】
図６は  取付け金物の平面詳細図で帯状金属材に棒状部材が引き掛け固定されている。その断面を図７に示す。
【００１９】
図７は  図６のＡ〜Ａ断面であり帯状金属材を図のように鈎Ｓ字状に曲げ加工し桟瓦に引き掛け固定する、尚この金物はステンレス製とし、永続的に付け置くものとする。
【００２０】
図８は  滑雪部材は積雪の無い時は強風により吹上げ力を受けるが、軒先に於いて軒樋面に添わし滑雪部材を約２０ｃｍ程度垂らし吹上げ力を減じたあと、その先端に滑雪部材の先端を袋状に縫製加工しその中に相当量の水（この場合は防水加工が必要）、水筒、鉄塊、石塊を投入した、錘を付けることにより吹上がりを防止した。
【００２１】
図９は  図８の断面である。滑雪部材の先端を袋状に縫製加工しその中に相当量の水、水筒、鉄塊、石塊を投入し、滑雪部材の錘とした。
【００２２】
図１０は  滑雪部材の中央部の吹上げ浮き上りを防ぐために、滑雪部材に鳩目付き乳房（紐を通すための舌状の部品）を取付け、雪止瓦に紐で固定し吹き上げ防止とした。
【００２３】
図１１は  棒状部材取付用金具の類似取り付け法の１つである。帯状金物を
Ｚ字状に折り曲げ加工し接着剤を使用したものであるが、経年劣化に於いて疑問が残る方法である。
【００２４】
図１２は  棒状部材取付用金具の類似取り付け法の１つである。帯状金物を
Ｚ字状に折り曲げ加工し裏板に直接釘打ち施工したものであるが、新築、又は瓦葺替え時のみ可能であり、既存屋根には施工できない。
【００２５】
図１３は  棒状部材取付用金具の類似取り付け法の１つである。帯状金物を
Ｓ字状に折り曲げ加工し雪止瓦の弓に直接取り付け施工したものであるが、雪止瓦の設置間隔と同じになるので取付け間隔が広く雪止瓦に掛かる負担が多大となる。
【００２６】
図１４は  取付用金具を用いず直接雪止瓦に棒状部材を取り付けたものである。この方法は上記不安と毎年棒状部材を結束、外しを繰り返す必要がある。
【００２７】
請求する構造は樹脂板、金属板にても施工可能であるが、一般的には滑雪部材として、塩化ビニールシートを使用するのが適していると思われる。
【産業上の利用可能性】
【００２８】
本考案は積雪寒冷地に於いて、高齢者が多く又、排雪作業員の不足の折、軒の出の排雪作業を不要にする考案であり、多雪地域の木造瓦葺き屋根軒の出の排雪に適用が可能である。
【図面の簡単な説明】
【００２９】
【図１】屋根滑雪部材覆設  平面図  各部材配置図
【図２】図１屋根面のＡ〜Ａ横断図  滑雪部材取付横断
【図３】図１屋根面のＢ〜Ｂ縦断図  滑雪部材取付縦断
【図４】図１拡大部横断面  滑雪部材取付用棒状部材取付金具位置
【図５】図１拡大部縦断面  滑雪部材取付用棒状部材取付金具位置
【図６】滑雪部材取付用棒状部材取付帯状Ｓ型加工金具平面詳細
【図７】図６のＡ〜Ａ断面  帯状Ｓ型加工金具断面詳細
【図８】滑雪部材吹上防止用先端の固定錘  詳細図
【図９】図８のＡ〜Ａ断面  錘部  詳細図
【図１０】図１屋根面のＣ〜Ｃ横断図  滑雪部材中央部吹上防止固定材図
【図１１】棒状部材取付金具の異なる取付方法１
【図１２】棒状部材取付金具の異なる取付方法２
【図１３】棒状部材取付金具の異なる取付方法３
【図１４】棒状部材取付金具の異なる取付方法４
【符号の説明】
【００３０】
１    滑雪部材
２    滑雪部材取付用棒状部材
３    滑雪部材取付用棒状部材取付帯状Ｓ型加工金具
４    吹上げ防止用錘
５    吹上げ防止用  結束用鳩目付き乳房
６    軒樋
７    樋受け金物
８    金属線結束
９    引掛桟瓦
１０  雪止瓦
１１  軒先瓦
【図１】
0003132494.tif 000003
【図２】
0003132494.tif 000004
【図３】
0003132494.tif 000005
【図４】
0003132494.tif 000006
【図５】
0003132494.tif 000007
【図６】
0003132494.tif 000008
【図７】
0003132494.tif 000009
【図８】
0003132494.tif 000010
【図９】
0003132494.tif 000011
【図１０】
0003132494.tif 000012
【図１１】
0003132494.tif 000013
【図１２】
0003132494.tif 000014
【図１３】
0003132494.tif 000015
【図１４】
0003132494.tif 000016
【手続補正書】
【提出日】平成19年4月4日(2007.4.4)
【手続補正１】
【補正対象書類名】実用新案登録請求の範囲
【補正対象項目名】請求項１
【補正方法】変更
【補正の内容】
【請求項１】
多雪地域の木造瓦葺きの建築に於いて多量降雪時の軒垂木の折損、軒樋の破損、樋受金物の変形を防ぐため、軒先全体を滑雪部材で覆い、雪を自重で落下させることにより軒先を保護することを特徴とする軒先構造。